(57)【要約】      （修正有）【課題】ハンドルの操作と草刈り機の刈刃の左右方向への揺動とが同期していて非常に操作しやすく、また折り畳み式支持脚を折り畳んで刈刃の取り換えやメンテナンスを簡単に行うことができる、非常に付加価値の高い草刈り機用台車の提供。【解決手段】左右一対の車輪の間を連結する車軸上に設けた台座にベアリングを介して回転可能に搭載した支持盤と、前記支持盤上に立設した縦軸と、前記縦軸に取り付けられた横軸と、前記横軸の前後に配置した開閉式の草刈り機の主軸の保持部と、前記横軸の後部に延設した左右一対のハンドルとを備えた草刈り機の主軸の保持機構と、前記縦軸とは所定の間隔で横軸の後部に取り付けた折り畳み式支持脚と、前記左右一対の車輪の間の車軸に取り付けたブレーキハウジング内に内蔵されたブレーキ機構と、適宜位置に取り付けた飛散防止機構と、を備えた。【選択図】図７
2018061493.tif 000002
【特許請求の範囲】
【請求項１】
左右一対の車輪の間を連結する車軸上に設けた台座にベアリングを介して回転可能に搭載した支持盤と、前記支持盤上に立設した縦軸と、前記縦軸に取り付けられた横軸と、前記横軸の前後に配置した開閉式の草刈り機の主軸の保持部と、前記横軸の後部に延設した左右一対のハンドルとを備えた草刈り機の主軸の保持機構と、
前記縦軸とは所定の間隔で横軸の後部に取り付けた折り畳み式支持脚と、
前記左右一対の車輪の間の車軸に取り付けたブレーキハウジング内に内蔵されたブレーキ機構と、
適宜位置に取り付けた飛散防止機構と、
を備えたことを特徴とする草刈り機用台車。
【請求項２】
前記草刈り機の主軸の保持部は、該主軸と平行に取り付ける補強用の補助軸の保持部を備えていることを特徴とする請求項１に記載の草刈り機用台車。
【請求項３】
前記回転可能な支持盤は、前記縦軸の中間位置にシーソー杆が軸着され、前記シーソー杆の一端には前記台座に延設したロック板のロック孔に係合自在としたロックピンが取り付けられ、また前記シーソー杆の他端には前記ハンドルに付設したロック解除レバーに連結されたケーブルが連結されたロック機構を備えていることを特徴とする請求項１または２に記載の草刈り機用台車。
【請求項４】
前記折り畳み式支持脚は、前記縦軸とは所定の間隔で横軸の後部に設けたブラケットに首振り自在に軸着され、かつ前記支持脚は上部脚と下部脚からなり、前記上部脚に付設され、バネにより上向きに付勢された直立保持ピンと、前記下部脚の上端に設けた直立保持ピンの保持孔と、前記ブラケットに設けたカム部とからなり、常態ではカム部に押し下げられた直立保持ピンと保持孔とが係合して支持脚は直立状態を維持しており、前記折り畳み式支持脚を振り下げるように首振りさせたときには、前記カム部との係合が解除されて直立保持ピンがバネによって押し上げられて直立保持ピンと保持孔との係合が解除されて上部脚と下部脚とが折り曲げ可能となる折り畳み制御機構を備えていることを特徴とする請求項１または３のいずれかに記載の草刈り機用台車。
【請求項５】
前記ブレーキ機構は、前記左右一対の車輪の間の車軸に取り付けたブレーキハウジング内に内蔵され、バネを介して常態でその間隙を狭める方向に付勢された左右一対のブレーキピンと、該ブレーキピンの先端に取り付けたブレーキパッドと、前記一対のブレーキピン間に配置され、テーパ状の押圧部を備えたブレーキアームとを備えるとともに、該ブレーキアームは前記ハンドルに取り付けたブレーキレバーに連結され、また該ブレーキレバーにはブレーキ解除レバーが取り付けてあり、前記ブレーキレバーを操作することによりブレーキアームの押圧部で一対のブレーキピンの間隙を広げて車輪にブレーキパッドを押し当てて制動し、ブレーキ解除レバーを操作することによりブレーキパッドが後退して車輪が可動状態となるようにしたことを特徴とする請求項１ないし４のいずれかに記載の草刈り機用台車。
【請求項６】
前記飛散防止機構は、前記刈刃の刃先の近傍に取り付けられた回転軸と、該回転軸に回動可能に取り付けた複数の金属製羽根体とを備え、該金属製羽根体を草や小石等の飛散物が衝突した衝撃で回転させて飛散を防止するようにした刈刃からの飛散物防止構造を備えていることを特徴とする請求項１ないし５のいずれかに記載の草刈り機用台車。
【請求項７】
前記飛散防止機構は、前記刈刃の刃先の近傍に取り付けられた開閉可能な飛散防止板を有し、この飛散防止板に草や小石等の飛散物を衝突させて飛散を防止するようにした刈刃からの飛散物防止構造を備えていることを特徴とする請求項１ないし５のいずれかに記載の草刈り機用台車。
【請求項８】
前記飛散防止機構は、前記ハンドルの近傍に取り付けられた円弧状ないしＶ字状の飛散防止板を有し、この飛散防止板に草や小石等の飛散物を衝突させて飛散を防止するようにした刈刃からの飛散物防止構造を備えていることを特徴とする請求項１ないし５のいずれかに記載の草刈り機用台車。
【請求項９】
前記草刈り機用台車は、その適宜位置にクリップ式取付具を介して着脱自在に取り付けた筒状収納部と、下端が筒状収納部に収納したペットボトルの底部に係合し、上端に持手を設けた操作レバーと、上端開口部に着脱可能に取り付ける上蓋とを備えたペットボトルの収納機構を備えていることを特徴とする請求項１ないし８のいずれかに記載の草刈り機用台車。
【請求項１０】
前記草刈り機用台車は、その適宜位置に取り付けた長さ方向に半割りして開閉可能とした筒状収納部と、固定式の底部と対向する位置に開閉可能に設けた蓋部とを備えたペットボトルの収納機構を備えていることを特徴とする請求項１ないし９のいずれかに記載の草刈り機用台車。
【発明の詳細な説明】
【技術分野】
【０００１】
本発明は芝生や雑草を刈り取るための手押し式の草刈り機であって、高齢者や非力の作業者でも芝や雑草を効率的に草刈り作業を行うことができる草刈り機用台車に関するものである。
【背景技術】
【０００２】
従来、雑草などの草刈りを行う草刈り機として肩掛け式のものが一般的に利用されている。この肩掛け式の草刈り機は、支持杆の先端に設けた刈刃を支持杆の基端に設けた原動機などの駆動手段によって回転駆動し、支持杆の一部に設けた肩紐などで機体全体を肩に掛け、両手の操作によって支持杆の先端に設けた刈刃板を作業面に沿って移動させるものである。
ところで、従来から利用されている肩掛け式の草刈り機では作業者に掛かる負担が大きいため、実用新案登録第３０４９６６８号（特許文献１参照）に開示されるように、台車などの移動手段に原動機などによって駆動される刈刃板を装着し、作業面に沿って台車を移動させることによって刈り払い作業を行うことができるものが提案されている。
しかしながら特許文献１に記載の草刈り機は、肩掛け式の従来の草刈機とは異なる特殊な草刈り機構を使用するものである。
【０００３】
また、特開平５−３０４８１３号公報（特許文献２参照）には、草刈機を草刈機用台車に載設し、雑草を刈り取りながら車載式草刈機を動かすようにした。また、レバーを揺動させることによって草刈機の刈刃を揺動させ、一定範囲を刈り取ることができるようにした。更に、２つの車輪の幅を任意に変更し得るようにした車載式草刈機及び草刈機用台車が記載されている。
しかしながら特許文献２の車載式草刈機及び草刈機用台車は、片手でハンドルを持ち、もう一方の手で揺動手段を操作するようになっていて、ハンドル操作がしづらいという欠点があった。
【０００４】
特開平６−３１９３４２号公報（特許文献３参照）には、レバーを揺動させることにより、載設台に載設された草刈機が揺動するとともに、この揺動に連動して車輪が回転して草刈機の先端部方向へ移動するように構成した草刈機用台車が記載されている。
しかしながら、特許文献３の草刈機用台車においては、載設台に載設された草刈機の揺動に連動して車輪が回転し、草刈機用台車が自動的に草刈機の先端部方向へ移動するようになっており、便利ではある反面細かい場所に手が届きにくくなるという欠点があった。
【０００５】
特開平１１−１１３３４４号公報（特許文献４参照）には、草刈機用台車を、レバーを揺動させることにより、載設台に載設された草刈機を往動させ得るとともに、刈刃が地面に接触しつつ復動するように構成した草刈機用台車並びに草刈方法及び草刈機が記載されている。
しかしながら特許文献４の草刈機用台車並びに草刈方法及び草刈機も、特許文献２と同様に片手でハンドルを持ち、もう一方の手で揺動手段を操作するようになっていて、ハンドル操作がしづらいという欠点があった。
【０００６】
特開２００１−１１２３２１号公報（特許文献５参照）には、車輪を備えて手押し式とした台車に、支点Ｏを中心として回動する取付台を設ける。台車には、支持杆の先端に刈刃板を備えた草刈り機を、支持杆が台車の前方に突出する状態で装着する。取付台は、草刈り機の刈刃板が台車の進行方向に対して側方の任意角度を向いた状態でロックネジで固定しておき、台車を作業面の側縁に沿って移動させると、作業面の側縁部分の草刈り作業を行うことができる手押し式草刈り機が記載されている。
しかしながら特許文献５の手押し式草刈り機では、取付台を草刈り機の刈刃板が台車の進行方向に対して側方の任意角度を向いた状態でロックネジで固定する必要があって取扱いが面倒であり、高齢者等には扱いにくいという欠点があった。
【先行技術文献】
【特許文献】
【０００７】
【特許文献１】実用新案登録第３０４９６６８号公報
【特許文献２】特開平５−３０４８１３号公報
【特許文献３】特開平６−３１９３４２号公報
【特許文献４】特開平１１−１１３３４４号公報
【特許文献５】特開２００１−１１２３２１号公報
【発明の概要】
【発明が解決しようとする課題】
【０００８】
したがって本発明の草刈り機用台車は、肩掛け式の従来の草刈機を搭載して使用することができるようにした草刈り機用台車であってコストを抑えることができ、しかもハンドルの操作と草刈り機の刈刃の左右方向への揺動とが同期していて非常に操作しやすく、また折り畳み式支持脚を折り畳んで刈刃の取り換えやメンテナンスを簡単に行うことができる、非常に付加価値の高い草刈り機用台車を提供しようとするものである。
【課題を解決するための手段】
【０００９】
すなわち本発明の草刈り機用台車は、左右一対の車輪の間を連結する車軸上に設けた台座にベアリングを介して回転可能に搭載した支持盤と、前記支持盤上に立設した縦軸と、前記縦軸に取り付けられた横軸と、前記横軸の前後に配置した開閉式の草刈り機の主軸の保持部と、前記横軸の後部に延設した左右一対のハンドルとを備えた草刈り機の主軸の保持機構と、
前記縦軸とは所定の間隔で横軸の後部に取り付けた折り畳み式支持脚と、
前記左右一対の車輪の間の車軸に取り付けたブレーキハウジング内に内蔵されたブレーキ機構と、
適宜位置に取り付けた飛散防止機構と、
を備えたことを特徴とするものである。
【００１０】
本発明の草刈り機用台車において、前記草刈り機の主軸の保持部は、該主軸と平行に取り付ける補強用の補助軸の保持部を備えていることを特徴とするものである。
【００１１】
本発明の草刈り機用台車において、前記回転可能な支持盤は、前記縦軸の中間位置にシーソー杆が軸着され、前記シーソー杆の一端には前記台座に延設したロック板のロック孔に係合自在としたロックピンが取り付けられ、また前記シーソー杆の他端には前記ハンドルに付設したロック解除レバーに連結されたケーブルが連結されたロック機構を備えていることを特徴とするものである。
【００１２】
本発明の草刈り機用台車において、前記折り畳み式支持脚は、前記縦軸とは所定の間隔で横軸の後部に設けたブラケットに首振り自在に軸着され、かつ前記支持脚は上部脚と下部脚からなり、前記上部脚に付設され、バネにより上向きに付勢された直立保持ピンと、前記下部脚の上端に設けた直立保持ピンの保持孔と、前記ブラケットに設けたカム部とからなり、常態ではカム部に押し下げられた直立保持ピンと保持孔とが係合して支持脚は直立状態を維持しており、前記折り畳み式支持脚を振り下げるように首振りさせたときには、前記カム部との係合が解除されて直立保持ピンがバネによって押し上げられて直立保持ピンと保持孔との係合が解除されて上部脚と下部脚とが折り曲げ可能となる折り畳み制御機構を備えていることを特徴とするものである。
【００１３】
本発明の草刈り機用台車において、前記ブレーキ機構は、前記左右一対の車輪の間の車軸に取り付けたブレーキハウジング内に内蔵され、バネを介して常態でその間隙を狭める方向に付勢された左右一対のブレーキピンと、該ブレーキピンの先端に取り付けたブレーキパッドと、前記一対のブレーキピン間に配置され、テーパ状の押圧部を備えたブレーキアームとを備えるとともに、該ブレーキアームは前記ハンドルに取り付けたブレーキレバーに連結され、また該ブレーキレバーにはブレーキ解除レバーが取り付けてあり、前記ブレーキレバーを操作することによりブレーキアームの押圧部で一対のブレーキピンの間隙を広げて車輪にブレーキパッドを押し当てて制動し、ブレーキ解除レバーを操作することによりブレーキパッドが後退して車輪が可動状態となるようにしたことを特徴とするものである。
【００１４】
本発明の草刈り機用台車において、前記飛散防止機構は、前記刈刃の刃先の近傍に取り付けられた回転軸と、該回転軸に回動可能に取り付けた複数の金属製羽根体とを備え、該金属製羽根体を草や小石等の飛散物が衝突した衝撃で回転させて飛散を防止するようにした刈刃からの飛散物防止構造を備えていることを特徴とするものである。
【００１５】
本発明の草刈り機用台車において、前記飛散防止機構は、前記刈刃の刃先の近傍に取り付けられた開閉可能な飛散防止板を有し、この飛散防止板に草や小石等の飛散物を衝突させて飛散を防止するようにした刈刃からの飛散物防止構造を備えていることを特徴とするものである。
【００１６】
本発明の草刈り機用台車において、前記飛散防止機構は、前記ハンドルの近傍に取り付けられた円弧状ないしＶ字状の飛散防止板を有し、この飛散防止板に草や小石等の飛散物を衝突させて飛散を防止するようにした刈刃からの飛散物防止構造を備えていることを特徴とするものである。
【００１７】
本発明の草刈り機用台車において、前記草刈り機用台車は、その適宜位置にクリップ式取付具を介して着脱自在に取り付けた筒状収納部と、下端が筒状収納部に収納したペットボトルの底部に係合し、上端に持手を設けた操作レバーと、上端開口部に着脱可能に取り付ける上蓋とを備えたペットボトルの収納機構を備えていることを特徴とするものである。
【００１８】
本発明の草刈り機用台車において、前記草刈り機用台車は、その適宜位置に取り付けた長さ方向に半割りして開閉可能とした筒状収納部と、固定式の底部と対向する位置にスライド可能に設けた蓋部とを備えたペットボトルの収納機構を備えていることを特徴とするものである。
【発明の効果】
【００１９】
請求項１に記載の発明によれば、肩掛け式の従来の草刈機を搭載して使用することができるようにした草刈り機用台車であるからコストを抑えることができ、しかもハンドルの操作と草刈り機の刈刃の左右方向への揺動とが同期していて非常に操作しやすく、また折り畳み式支持脚を折り畳んで刈刃の取り換えやメンテナンスを簡単に行うことができる、非常に付加価値の高い草刈り機用台車を提供することが可能となった。
【００２０】
請求項２に記載の発明によれば、前記草刈り機の主軸の保持部は、該主軸と平行に取り付ける補強用の補助軸の保持部を備えているため、前記主軸の強度に難点があっても品質に問題のない草刈り機用台車を提供することが可能となった。
【００２１】
請求項３に記載の発明によれば、前記ハンドルに付設したロック解除レバーでロック板のロック孔に係合したロックピンを引き抜くだけで簡単に前記回転可能な支持盤の回動操作を行うことができ、またロック板のロック孔にロックピンを係合させるだけで支持盤が回動しないようにロックすることができるため、草刈り機の刈刃の左右方向への揺動を自在に行うことができる草刈り機用台車を提供することが可能となった。
【００２２】
請求項４に記載の発明によれば、直立保持ピンと保持孔との係合を簡単な構造で解除できるようになっているため、折り畳み式支持脚を折り畳んで刈刃の取り換えやメンテナンスを簡単に行うことができる草刈り機用台車を提供することが可能となった。
【００２３】
請求項５に記載の発明によれば、非常に単純なブレーキ機構を採用しているため、制動操作が簡単でメンテナンスの楽な草刈り機用台車を提供することが可能となった。
【００２４】
請求項６に記載の発明によれば、前記金属製羽根体を草や小石等の飛散物が衝突した衝撃で回転させることによって、衝撃を吸収しながら飛散を防止するようにした刈刃からの飛散物防止構造を備えており、高い飛散防止機能を備えた草刈り機用台車を提供することが可能となった。
【００２５】
請求項７に記載の発明によれば、前記刈刃の刃先の近傍に取り付けられた開閉可能な飛散防止板を有し、この飛散防止板に草や小石等の飛散物を衝突させて飛散を防止するようにした刈刃からの飛散物防止構造を備えており、確実な飛散防止機能を備えた草刈り機用台車を提供することが可能となった。
【００２６】
請求項８に記載の発明によれば、前記ハンドルの近傍に取り付けられた円弧状ないしＶ字状の飛散防止板を有し、この飛散防止板に草や小石等の飛散物を衝突させて飛散を防止するようにした刈刃からの飛散物防止構造を備えており、非常に安全な飛散防止機能を備えた草刈り機用台車を提供することが可能となった。
【００２７】
請求項９に記載の発明によれば、前記草刈り機用台車の適宜位置にクリップ式取付具を介して着脱自在に取り付けた筒状収納部と、下端が筒状収納部に収納したペットボトルの底部に係合し、上端に持手を設けた操作レバーと、上端開口部に着脱可能に取り付ける上蓋とを備えたペットボトルの収納機構を備えており、ペットボトルを必要に応じて簡単に収納し、取り出すことのできる草刈り機用台車を提供することが可能となった。
【００２８】
請求項１０に記載の発明によれば、前記草刈り機用台車の適宜位置に取り付けた長さ方向に半割りして開閉可能とした筒状収納部と、固定式の底部と対向する位置に開閉可能に設けた蓋部とを備えたペットボトルの収納機構を備えており、ペットボトルのみならず工具類をも必要に応じて簡単に収納し、取り出すことのできる草刈り機用台車を提供することが可能となった。
【図面の簡単な説明】
【００２９】
【図１】本発明に係る草刈り機用台車の概略側面図である。
【図２】本発明に係る草刈り機用台車の支持盤部分を示し、支持盤に取り付けた縦軸と横軸上に草刈り機の主軸の保持部を取り付けようとする段階の概略斜視図である。
【図３】支持盤上にハンドル部分を連結しようとする段階の概略斜視図である。
【図４】支持盤上にハンドル部分を連結した状態の概略斜視図である。
【図５】草刈り機の主軸の保持部に補助軸を取り付けようとする段階の概略斜視図である。
【図６】草刈り機の主軸の保持部に補助軸を取り付けた状態の概略斜視図である。
【図７】草刈り機の主軸の保持部に主軸を取り付けようとする段階の概略斜視図である。
【図８】草刈り機の主軸の保持部に主軸を取り付けた状態の概略斜視図である。
【図９】本発明に係る草刈り機用台車の支持盤部分を示し、（ａ）は車軸上に設けた台座にベアリングを取り付けようとする段階を、（ｂ）は車軸上に設けた台座にベアリングを取り付けた状態を、（ｃ）はその上に支持盤を取り付けた状態を、（ｄ）は支持盤が回動可能であることを示すそれぞれ概略斜視図である。
【図１０】本発明に係る草刈り機用台車の折り畳み式支持脚を示し、（ａ）は直立状態を示す概略側面図、（ｂ）は支持脚を振り下げて折り畳んだ状態を示す概略側面図、（ｃ）は折り畳んだ状態を示す概略斜視図である。
【図１１】折り畳み式支持脚を直立状態とした状態における草刈り機用台車の全体を示す概略側面図である。
【図１２】左右一対の車輪の間を連結する車軸間に設けたブレーキ機構を示すものであり、（ａ）はブレーキハウジング内に組み付けた状態を、（ｂ）はブレーキハウジングを外すとともに、ブレーキアームを駆動させる前の状態を、（ｃ）はブレーキアームを駆動した状態を示すそれぞれ概略斜視図である。
【図１３】（ａ）はブレーキアームを駆動させる前の状態を、（ｂ）はブレーキアームを駆動した状態を示すそれぞれ概略平面図である。
【図１４】（ａ）はブレーキハウジング上に支持盤を搭載しようとする段階を、（ｂ）はブレーキハウジング上に支持盤を搭載した状態を示すそれぞれ概略斜視図である。
【図１５】（ａ）はブレーキレバーに敷設したブレーキ解除レバーを示す初期段階の概略側面図、概略底面図および概略後面図、（ｂ）はブレーキレバーを操作した段階の概略側面図、概略底面図および概略後面図、（ｃ）はブレーキ解除レバーを操作した段階の概略側面図、概略底面図および概略後面図、（ｄ）は初期段階に復帰した状態の概略側面図、概略底面図および概略後面図である。
【図１６】飛散防止機構の第１の例を示す概略平面図である。
【図１７】飛散防止機構の第１の例を示す概略側面図である。
【図１８】飛散防止機構の第１の例を示す概略斜視図である。
【図１９】球状の保持車輪を説明するための概略側面図である。
【図２０】球状の保持車輪を説明するための概略斜視図である。
【図２１】（ａ）は飛散防止機構の第２の例である飛散防止板を示す概略側面図および概略斜視図、（ｂ）は飛散防止機構の第２の例である飛散防止板を開いた状態の概略側面図および概略斜視図である。
【図２２】ペットボトルの収納機構の第１の例を示し、（ａ）は初期段階の概略断面図、（ｂ）は蓋を開いた状態の概略断面図、（ｃ）は操作レバーを引き上げた状態の概略断面図、（ｄ）は初期段階に復帰した状態の概略断面図である。
【図２３】ペットボトルの収納機構の第２の例を示し、（ａ）は初期段階の概略側面図、（ｂ）は片方の蓋を開いた状態の概略側面図、（ｃ）は両方の蓋を開いた状態の概略側面図、（ｄ）は初期段階に復帰した状態であって、レールに取り付けた状態の概略側面図である。
【図２４】（ａ）はペットボトルの収納機構をレールに取り付けた状態の概略斜視図、（ｂ）はその断面を示す概略斜視図、（ｃ）は初期段階の概略斜視図、（ｄ）は片方の蓋を開いた状態の概略斜視図、（ｅ）は両方の蓋を開いた状態の概略斜視図、（ｆ）は全体を開放した状態の概略斜視図である。
【図２５】草刈り機後部の原動機から排出される排ガスが使用者に当たらないようにするための排気ガス回避機構を示す概略平面図である。
【図２６】その要部拡大図である。
【発明を実施するための形態】
【００３０】
以下、本発明に係る草刈り機用台車の実施の形態を添付の図面に基づいて詳細に説明する。
図１は本発明の草刈り機用台車１０の１実施例を示すものであり、肩掛け式の草刈り機として使用している多様な種類の草刈り機７１を装着して使用することができる。
すなわち、本実施例の草刈り機用台車１０を構成する草刈り機の主軸の保持機構２１は、以下のような構成である。
すなわち、左右一対の車輪１１，１１の間を連結する車軸１２上に設けた台座１３にはベアリング（図示せず）を介して回転可能に搭載した支持盤１４と、前記支持盤１４上に立設した縦軸１５と、前記縦軸１５に取り付けられた横軸１６と、前記横軸１６上部の前後に配置した開閉式の草刈り機７１の主軸７２の保持部１７と、前記横軸１６の後部に延設した左右一対のハンドル１８，１８とを備えている。
また、前記縦軸１５とは所定の間隔で横軸１６の後部には折り畳み式支持脚４１が取り付けられている。
さらに、前記左右一対の車輪１１，１１の間の車軸１２に取り付けたブレーキハウジング５２内にはブレーキ機構５１が内蔵されている。
そして、草刈り機用台車１０の適宜位置には所望の飛散防止機構６１が配置されている。
【００３１】
図２ないし図８に基いて、本実施例の草刈り機用台車１０を構成する草刈り機の主軸の保持機構２１を説明する。
すなわち、図２および図３のように、前記縦軸１５に草刈り機７１の主軸７２の保持部１７を前後に一対形成した横軸１６を取り付ける。次いで、図３および図４のように前記横軸１６の後部に延設したブラケット２２に左右一対のハンドル１８，１８を固設する。
この段階で図５および図６のように、草刈り機７１の主軸７２の前後一対の各保持部１７の下部に設けた板状の保持部２３に補強用の補助軸７３を取り付ける。以上のようにして、前記草刈り機７１の主軸７２の保持部１７に、該主軸７２に沿って補強用の補助軸７３を取り付ける。
【００３２】
そして、図７および図８のように、蝶番２４で開閉可能とした前記保持部１７の凹溝２５に草刈り機７１の主軸７２をはめ込み、前記保持部１７を閉じて前記主軸７２を固定する。なお、２６は主軸７２および補助軸７３の先端を連結固定する補助保持部である。
【００３３】
次に、図９は本実施例の草刈り機用台車１０における前記回転可能な支持盤１４の詳細を示すものである。
すなわち、図９（ａ）および図９（ｂ）のように前記車軸１２に取り付けた台座１３にベアリング３１を介して前記支持盤１４を回転可能に搭載する。
また、前記支持盤１４にはその回動を規制するロック機構３０が取り付けられている。
該ロック機構３０は、前記縦軸１５の中間位置に軸着したシーソー杆３２と、前記シーソー杆３２の一端に取り付けた、前記台座１３に延設したロック板３３のロック孔３４に係合自在としたロックピン３５を備えている。また前記シーソー杆３２の他端には前記ハンドル１８に付設したロック解除レバーに連結されたケーブル３６が連結されている。図において３７は、前記シーソー杆３２のケーブル３６を取り付けた側の端部の上部において縦軸１５との間に配設したコイルバネであり、ロックピン３５をロック板３３のロック孔３４に係合させる方向に付勢している。
【００３４】
したがって、図９（ｃ）のように常態においてはロックピン３５がロック板３３のロック孔３４に係合して前記支持盤１４は回動しない。
他方、前記ハンドル１８に付設したロック解除レバーを絞ると、前記ケーブル３６がけん引され、前記コイルバネ３７に抗してロックピン３５はロック板３３のロック孔３４から引き抜かれ、図９（ｄ）のように前記支持盤１４はベアリング３１によって自在に回動するようになる。
【００３５】
図１０及び図１１は本実施例の草刈り機用台車１０における前記折り畳み式支持脚４１の詳細を示すものである。
該折り畳み式支持脚４１は、前記縦軸１５とは所定の間隔で横軸１６の後部に設けたブラケット２２に首振り自在に軸着され、かつ前記支持脚４１は上部脚４１ａと下部脚４１ｂからなるものである。さらに、前記上部脚４１ａには直立保持ピン４６が付設され、この直立保持ピン４６はバネ４３により上向きに付勢されている。また、前記下部脚４１ｂの上端には直立保持ピン４６の凹状の保持孔４４が、さらに前記ブラケット２２には円弧状のカム部４５が設けてある。
したがって、図１０（ｃ）および図１１のように、常態においてはカム部４５によって押し下げられた直立保持ピン４６と保持孔４４とが係合して前記支持脚４１は直立状態を維持している。
前記折り畳み式支持脚４１を振り下げるように首振りさせたときには、前記カム部４５との係合が解除されて直立保持ピン４６がバネ４３によって押し上げられて直立保持ピン４６と保持孔４４との係合が解除され、上部脚４１ａと下部脚４１ｂとは折り曲げ可能となる。
したがって、直立保持ピン４６と保持孔４４との係合を簡単な構造で解除できるようになっているため、折り畳み式支持脚４１を折り畳んで刈刃の取り換えやメンテナンスを簡単に行うことができるようになった。
【００３６】
図１２ないし図１５は本実施例の草刈り機用台車１０における前記ブレーキ機構５１の詳細を示すものである。
本実施例の草刈り機用台車１０において、前記ブレーキ機構５１は図１２（ａ）のように、前記左右一対の車輪１１，１１の間の車軸１２に取り付けたブレーキハウジング５２内に内蔵されている。
すなわち、バネ５４を介して常態でその間隙を狭める方向に付勢された左右一対のブレーキピン５３と、該ブレーキピン５３の先端に取り付けたブレーキパッド５５と、前記一対のブレーキピン５３間に配置され、テーパ状の押圧部５６ａを備えたブレーキアーム５６とを備えている。
そして、前記ブレーキアーム５６は前記ハンドル１８に取り付けたブレーキレバー５７に連結され、また該ブレーキレバー５７にはブレーキ解除レバー５８（図１５参照）が取り付けてある。
したがって、図１２(ｂ)、図１３（ａ）に示す初期段階から、前記ブレーキレバー５７（図１５参照）を操作することにより、図１２(ｃ)、図１３（ｂ）のようにブレーキアーム５６の押圧部５６ａで一対のブレーキピン５３，５３の間隙を広げて車輪１１，１１にブレーキパッド５５を押し当てて制動する。また、ブレーキ解除レバー５８を操作すればバネ５４の力でブレーキパッド５５が後退し、車輪１１，１１が可動状態となるようになっている。
図１４（ａ）はブレーキハウジング５２上に支持盤１４を搭載しようとする段階を、（ｂ）はブレーキハウジング上に支持盤１４を搭載した状態を示すものである。
【００３７】
また、図１５はブレーキ解除レバー５８の詳細を示すものであり、該ブレーキ解除レバー５８はＶ字状でその上端に取り付けたバネ５９で状態で開く方向に付勢されている。
このブレーキ解除レバー５８はブレーキレバー５７に設けたテーパ状の開口５７ａにはめ込まれており、初期段階では図１５（ａ）のようにブレーキ解除レバー５８はブレーキレバー５７に設けたテーパ状の開口５７ａの幅広部分に位置している。
次いで図１５（ｂ）のように前記ブレーキレバー５７を絞り込み、図１５（ｃ）のようにブレーキ解除レバー５８を手元に引いて、ブレーキ解除レバー５８をブレーキレバー５７に設けたテーパ状の開口５７ａの幅狭部分に移動させると、前記ブレーキレバー５７は当該位置で簡単に元の位置には復帰しないように保持される。
解除に際しては、ブレーキ解除レバー５８を反対側に押し込み、ブレーキ解除レバー５８をブレーキレバー５７に設けたテーパ状の開口５７ａの幅広部分に移動させると前記ブレーキレバー５７の保持は解除され、図１５（ｄ）のように前記ブレーキレバー５７は初期位置に復帰する。
【００３８】
図１６ないし図１８は本実施例の草刈り機用台車１０における飛散防止機構６１の詳細を示すものである。
図１６ないし図１８に示す第１の例の飛散防止機構６１は、前記草刈り機７１の主軸７２の先端の刈刃７２ａの刃先の近傍に軸受６３を介して取り付けられた回転軸６２と、該回転軸６２に回動可能に取り付けた複数の金属製羽根体６４とを備えている。６５は前記回転軸６２に付設したバネであり、このバネ６５は金属製羽根体６４にかかる衝撃を吸収するためのものである。
したがって、該金属製羽根体６４を草や小石等の飛散物が衝突した衝撃で回転させれば飛散物の勢いを大幅に減衰させることができ、草や小石等の飛散物の飛散を確実に防止することができる。前記減衰させる力は、軸受６３における回転軸６２の回転抵抗を変えること等により適宜調節することができる。なお、図１６において６６は開閉可能な飛散防止板である。
また図１９および図２０は球状の保持車輪６７を示すものであり、前記補助軸７３に衝撃を吸収できるアーム板６８を介して取り付けられており、主軸７２の先端の刈刃７２ａが設置して地面を引っ掻き、刃こぼれ等の問題を生じないようにしている。
【００３９】
図２１（ａ），（ｂ）に示す第２の例の飛散防止機構６１は、前記刈刃７２ａの刃先の近傍に取り付けられた開閉可能な飛散防止板６６からなり、この飛散防止板６６に草や小石等の飛散物を衝突させて飛散を防止するものである。図ではＨ状の保持枠６９に上下に回転自在に取り付けてあり、また草刈りの場所等に応じて拡幅あるいは縮小できるように折り畳み式とすることもできる。
第３の例の飛散防止機構６１は、前記ハンドル１８，１８の近傍に取り付けられているが、円弧状ないしＶ字状あるいは第２の例の飛散防止機構６１とほぼ同じ機構なので詳細は省略する。
【００４０】
図２２ないし図２４は本実施例の草刈り機用台車１０に使用可能なペットボトルの収納機構８１の例を示すものである。
ペットボトルの収納機構８１の第１の例は、図２２のように前記草刈り機用台車１０の適宜位置にクリップ式取付具８２を介して着脱自在に取り付けた内部に遮熱層を備える筒状収納部８３と、下端が筒状収納部８３に収納したペットボトル１１１の底部に係合し、上端に持手８５を設けた操作レバー８４と、上端開口部８７に着脱可能に取り付ける上蓋８６とを備えたものである。
したがって、図２２（ａ）の初期段階から、前記上蓋８６を図２２（ｂ）のように取り外し、図２２（ｃ）のように持手８５を持って操作レバー８４を引き上げるとペットボトル１１１も引き上げられるのである。用済み後は図２２（ｄ）のように操作レバー８４を筒状収納部８３内に戻せばよい。図において８８は上蓋８６の紛失を防止するための紐、８９は工具類を吸着できるようにした磁石である。
【００４１】
ペットボトルの収納機構８１の第２の例は、図２３および図２４のように、その適宜位置に取り付けた長さ方向に半割りして開閉可能とした半割りの筒状収納部９１と、固定式の底部９２と対向する位置に開閉可能に設けた蓋部９３とを備えている。もちろん、前記固定式の底部９２に代えて筒状収納部９１の両側を開放できるようにしてもよい
すなわち、図２３（ａ）、図２４（ｃ）の初期段階から図２３（ｂ）、図２４（ｄ）のように蓋部９３を開放する。次いで図２３（ｃ）、図２４（ｅ）のように他方の底部９２も開放する。その後は図２４（ｆ）のように半割りの筒状収納部９１の開放部９１ａを引き出せば筒状収納部９１内にペットボトル１１１等を収納することができる。もちろんこのペットボトルの収納機構８１にはペットボトル１１１のみならず、工具やその他の小物を収納してもよい。
図２３（ｄ）、図２４（ａ）および図２４（ｂ）は草刈り機用台車１０の適所に取り付けたレール９４を示し、このレール９４によって筒状収納部９１の背後に設けたスライド体９５をスライド自在に保持することにより、筒状収納部９１を適宜位置に移動させることができる。
【００４２】
次に図２５および図２６は、草刈り機後部の原動機から排出される排ガスが使用者に当たらないようにするための排気ガス回避機構を示すものである。
この排気ガス回避機構を構成する排気パイプ１０１は、前記ハンドル１８へ取り付けるための可撓性パイプ１０２の先端に取り付けられ、その一端１０１ａはエンジン部分の排気ノズル（図示省略）に当接されて連結されている。
その上で前記排気パイプ１０１の他端１０１ｂは、使用者に直接排気が当たらない方向に開口していて、使用者は排気ガスを吸い込むことがない。
【産業上の利用可能性】
【００４３】
本発明の草刈り機用台車は、肩掛け式の従来の草刈機を搭載して使用することができる草刈り機用台車であって、種々の形式の草刈り機を搭載して使用することができる。
【符号の説明】
【００４４】
１０  草刈り機用台車
１１  車輪
１２  車軸
１３  台座
１４  支持盤
１５  縦軸
１６  横軸
１７  主軸の保持部
１８，１８  ハンドル
２１  主軸の保持機構
２２  ブラケット
２３  板状の保持部
２４  蝶番
２５  凹溝
２６  補助保持部
３０  ロック機構
３１  ベアリング
３２  シーソー杆
３３  ロック板
３４  ロック孔
３５  ロックピン
３６  ケーブル
３７  コイルバネ
４１  折り畳み式支持脚
４１ａ  上部脚
４１ｂ  下部脚
４３  バネ
４４  保持孔
４５  円弧状のカム部
４６  直立保持ピン
５１  ブレーキ機構
５２  ブレーキハウジング
５３  ブレーキピン
５４  バネ
５５  ブレーキパッド
５６  ブレーキアーム
５６ａ  テーパ状の押圧部
５７  ブレーキレバー
５７ａ  テーパ状の開口
５８  ブレーキ解除レバー
５９  バネ
６１  飛散防止機構
６２  回転軸
６３  軸受
６４  金属製羽根体
６５  バネ
６６  飛散防止板
６７  球状の保持車輪
６８  アーム板
６９  Ｈ状の保持枠
７１  草刈り機
７２  主軸
７２ａ  刈刃
７３  補強用の補助軸
８１  ペットボトルの収納機構
８２  クリップ式取付具
８３  筒状収納部
８４  操作レバー
８５  持手
８６  上蓋
８７  上端開口部
８８  紐
８９  磁石
９１  半割りの筒状収納部
９１ａ  開放部
９２  固定式の底部
９３  蓋部
９４  レール
９５  スライド体
１０１  排気パイプ
１０１ａ  排気パイプの一端
１０１ｂ  排気パイプの他端
１０２  可撓性パイプ
１１１  ペットボトル
【図１】
2018061493.tif 000003
【図２】
2018061493.tif 000004
【図３】
2018061493.tif 000005
【図４】
2018061493.tif 000006
【図５】
2018061493.tif 000007
【図６】
2018061493.tif 000008
【図７】
2018061493.tif 000009
【図８】
2018061493.tif 000010
【図９】
2018061493.tif 000011
【図１０】
2018061493.tif 000012
【図１１】
2018061493.tif 000013
【図１２】
2018061493.tif 000014
【図１３】
2018061493.tif 000015
【図１４】
2018061493.tif 000016
【図１５】
2018061493.tif 000017
【図１６】
2018061493.tif 000018
【図１７】
2018061493.tif 000019
【図１８】
2018061493.tif 000020
【図１９】
2018061493.tif 000021
【図２０】
2018061493.tif 000022
【図２１】
2018061493.tif 000023
【図２２】
2018061493.tif 000024
【図２３】
2018061493.tif 000025
【図２４】
2018061493.tif 000026
【図２５】
2018061493.tif 000027
【図２６】
2018061493.tif 000028